(57)【要約】【課題】布類を撮影した画像に基づいてリネン設備の診断を行えるリネン設備の診断装置および診断システムを提供する。【解決手段】診断装置１は布類を撮影するカメラ２１、２２と画像処理装置３０と表示装置４０とを備える。画像処理装置３０は一または複数の不良種類とそれぞれの不良種類の原因となるリネン設備に関する不具合情報とが記憶されている。画像処理装置３０は布類画像に基づいて布類が有する不良の不良種類を判別し、不良種類の判別結果に基づいてリネン設備の不具合の有無を判断し、リネン設備に不具合が有ると判断した場合にその判断の根拠となった不良種類に対応する不具合情報を表示装置４０に表示する。【選択図】図３
2018128415.tif 000002
【特許請求の範囲】
【請求項１】
リネン設備内を搬送される布類を撮影するカメラと、
前記カメラで撮影された布類画像が入力される画像処理装置と、を備え、
前記画像処理装置は、
前記布類画像に基づいて前記布類が有する不良の不良種類を判別し、
前記不良種類の判別結果に基づいて前記リネン設備の不具合の有無を判断する
ことを特徴とするリネン設備の診断装置。
【請求項２】
前記画像処理装置は、
前記不良種類の判別結果に基づいて前記不良種類ごとの種類別不良率の時間変化を求め、前記種類別不良率の増加幅が閾値を超えるか否かにより前記リネン設備の不具合の有無を判断する
ことを特徴とする請求項１記載のリネン設備の診断装置。
【請求項３】
前記不良種類は、サビ汚れ、カビ汚れ、綿埃付着、同位置汚れ、ピンホール、脆化、角破れ、姿勢回転、先頭縁弛み、耳折れ、引張皺、圧縮皺、同位置皺のうちの一または複数を含む
ことを特徴とする請求項１または２記載のリネン設備の診断装置。
【請求項４】
前記画像処理装置に接続された表示装置を備え、
前記画像処理装置は、
予め、一または複数の前記不良種類と、それぞれの前記不良種類の原因となる前記リネン設備に関する不具合情報とが記憶されており、
前記リネン設備に不具合が有ると判断した場合に、その判断の根拠となった前記不良種類に対応する前記不具合情報を前記表示装置に表示する
ことを特徴とする請求項１、２または３記載のリネン設備の診断装置。
【請求項５】
前記画像処理装置は、
予め、一または複数の前記不良種類と、それぞれの前記不良種類の原因となる前記リネン設備に関する不具合情報とが記憶されており、
前記リネン設備に不具合が有ると判断した場合に、その判断の根拠となった前記不良種類に対応する前記不具合情報をメール送信する
ことを特徴とする請求項１、２、３または４記載のリネン設備の診断装置。
【請求項６】
前記画像処理装置は、
予め、一または複数の前記不良種類と、それぞれの前記不良種類の発生源である布類処理装置の識別子とが記憶されており、
前記リネン設備に不具合が有ると判断した場合に、その判断の根拠となった前記不良種類に対応する前記布類処理装置に不具合信号を送信する
ことを特徴とする請求項１、２、３、４または５記載のリネン設備の診断装置。
【請求項７】
前記画像処理装置は、
予め、一または複数の前記不良種類と、それぞれの前記不良種類の発生源である布類処理装置の識別子と、前記布類処理装置の補正値とが記憶されており、
前記リネン設備に不具合が有ると判断した場合に、その判断の根拠となった前記不良種類に対応する前記布類処理装置に、対応する前記補正値を送信する
ことを特徴とする請求項１、２、３、４または５記載のリネン設備の診断装置。
【請求項８】
前記画像処理装置は、
前記布類画像に基づいて前記布類の不良の有無を判断し、
前記不良の判断結果に基づいて総合不良率の時間変化を求め、前記総合不良率の増加幅が閾値を超えるか否かにより前記リネン設備の不具合の有無を判断する
ことを特徴とする請求項１記載のリネン設備の診断装置。
【請求項９】
リネン設備内を搬送される布類を撮影するカメラと、
前記カメラで撮影された布類画像が入力される画像処理装置と、
前記画像処理装置と通信可能なサーバ装置と、を備え、
前記画像処理装置は、
前記布類画像に基づいて前記布類が有する不良の不良種類を判別し、
前記不良種類の判別結果に基づいて前記リネン設備の不具合の有無を判断する
ことを特徴とするリネン設備の診断システム。
【請求項１０】
前記サーバ装置と通信可能であり、表示装置を備えるクライアントコンピュータを備え、
前記画像処理装置は、
予め、一または複数の前記不良種類と、それぞれの前記不良種類の原因となる前記リネン設備に関する不具合情報とが記憶されており、
前記リネン設備に不具合が有ると判断した場合に、その判断の根拠となった前記不良種類に対応する前記不具合情報を前記サーバ装置に送信し、
前記サーバ装置は、前記画像処理装置から受信した前記不具合情報を記憶し、
前記クライアントコンピュータは、前記サーバ装置が前記画像処理装置から受信した前記不具合情報を前記サーバ装置から取得し、前記表示装置に表示する
ことを特徴とする請求項９記載のリネン設備の診断システム。
【請求項１１】
前記画像処理装置は、
予め、一または複数の前記不良種類と、それぞれの前記不良種類の原因となる前記リネン設備に関する不具合情報とが記憶されており、
前記リネン設備に不具合が有ると判断した場合に、その判断の根拠となった前記不良種類に対応する前記不具合情報を前記サーバ装置に送信し、
前記サーバ装置は、前記画像処理装置から受信した前記不具合情報をメール送信する
ことを特徴とする請求項９または１０記載のリネン設備の診断システム。
【請求項１２】
前記画像処理装置は、
予め、一または複数の前記不良種類と、それぞれの前記不良種類の発生源である布類処理装置の識別子とが記憶されており、
前記リネン設備に不具合が有ると判断した場合に、その判断の根拠となった前記不良種類に対応する前記識別子を前記サーバ装置に送信し、
前記サーバ装置は、前記画像処理装置から受信した前記識別子に対応する前記布類処理装置に不具合信号を送信する
ことを特徴とする請求項９、１０または１１記載のリネン設備の診断システム。
【請求項１３】
前記画像処理装置は、
予め、一または複数の前記不良種類と、それぞれの前記不良種類の発生源である布類処理装置の識別子と、前記布類処理装置の補正値とが記憶されており、
前記リネン設備に不具合が有ると判断した場合に、その判断の根拠となった前記不良種類に対応する前記識別子および前記補正値を前記サーバ装置に送信し、
前記サーバ装置は、前記画像処理装置から受信した前記識別子に対応する前記布類処理装置に、前記画像処理装置から受信した前記補正値を送信する
ことを特徴とする請求項９、１０または１１記載のリネン設備の診断システム。
【請求項１４】
前記サーバ装置と通信可能であり、表示装置を備えるクライアントコンピュータを備え、
前記画像処理装置は、
前記リネン設備に不具合が有ると判断した場合に、その判断の根拠となった前記不良種類を前記サーバ装置に送信し、
前記サーバ装置は、
予め、一または複数の前記不良種類と、それぞれの前記不良種類の原因となる前記リネン設備に関する不具合情報とが記憶されており、
前記画像処理装置から受信した前記不良種類を記憶し、
前記クライアントコンピュータは、前記サーバ装置が前記画像処理装置から受信した前記不良種類に対応する前記不具合情報を前記サーバ装置から取得し、前記表示装置に表示する
ことを特徴とする請求項９記載のリネン設備の診断システム。
【請求項１５】
前記画像処理装置は、
前記リネン設備に不具合が有ると判断した場合に、その判断の根拠となった前記不良種類を前記サーバ装置に送信し、
前記サーバ装置は、
予め、一または複数の前記不良種類と、それぞれの前記不良種類の原因となる前記リネン設備に関する不具合情報とが記憶されており、
前記画像処理装置から受信した前記不良種類に対応する前記不具合情報をメール送信する
ことを特徴とする請求項９または１４記載のリネン設備の診断システム。
【請求項１６】
前記画像処理装置は、
前記リネン設備に不具合が有ると判断した場合に、その判断の根拠となった前記不良種類を前記サーバ装置に送信し、
前記サーバ装置は、
予め、一または複数の前記不良種類と、それぞれの前記不良種類の発生源である布類処理装置の識別子とが記憶されており、
前記画像処理装置から受信した前記不良種類に対応する前記識別子に対応する前記布類処理装置に不具合信号を送信する
ことを特徴とする請求項９、１４または１５記載のリネン設備の診断システム。
【請求項１７】
前記画像処理装置は、
前記リネン設備に不具合が有ると判断した場合に、その判断の根拠となった前記不良種類を前記サーバ装置に送信し、
前記サーバ装置は、
予め、一または複数の前記不良種類と、それぞれの前記不良種類の発生源である布類処理装置の識別子と、前記布類処理装置の補正値とが記憶されており、
前記画像処理装置から受信した前記不良種類に対応する前記識別子に対応する前記布類処理装置に、前記画像処理装置から受信した前記不良種類に対応する補正値を送信する
ことを特徴とする請求項９、１４または１５記載のリネン設備の診断システム。
【請求項１８】
リネン設備内を搬送される布類を撮影するカメラと、
前記カメラで撮影された布類画像が入力される画像処理装置と、
前記画像処理装置と通信可能なサーバ装置と、を備え、
前記画像処理装置は、
前記布類画像に基づいて前記布類が有する不良の不良種類を判別し、
前記不良種類の判別結果を前記サーバ装置に送信し、
前記サーバ装置は、
前記画像処理装置から受信した前記不良種類の判別結果に基づいて前記リネン設備の不具合の有無を判断する
ことを特徴とするリネン設備の診断システム。
【請求項１９】
前記サーバ装置と通信可能であり、表示装置を備えるクライアントコンピュータを備え、
前記サーバ装置は、
予め、一または複数の前記不良種類と、それぞれの前記不良種類の原因となる前記リネン設備に関する不具合情報とが記憶されており、
前記リネン設備に不具合が有ると判断した場合に、その判断の根拠となった前記不良種類を特定し、
前記クライアントコンピュータは、前記サーバ装置が特定した前記不良種類に対応する前記不具合情報を前記サーバ装置から取得し、前記表示装置に表示する
ことを特徴とする請求項１８記載のリネン設備の診断システム。
【請求項２０】
前記サーバ装置は、
予め、一または複数の前記不良種類と、それぞれの前記不良種類の原因となる前記リネン設備に関する不具合情報とが記憶されており、
前記リネン設備に不具合が有ると判断した場合に、その判断の根拠となった前記不良種類に対応する前記不具合情報をメール送信する
ことを特徴とする請求項１８または１９記載のリネン設備の診断システム。
【請求項２１】
前記サーバ装置は、
予め、一または複数の前記不良種類と、それぞれの前記不良種類の発生源である布類処理装置の識別子とが記憶されており、
前記リネン設備に不具合が有ると判断した場合に、その判断の根拠となった前記不良種類に対応する前記識別子に対応する前記布類処理装置に不具合信号を送信する
ことを特徴とする請求項１８、１９または２０記載のリネン設備の診断システム。
【請求項２２】
前記サーバ装置は、
予め、一または複数の前記不良種類と、それぞれの前記不良種類の発生源である布類処理装置の識別子と、前記布類処理装置の補正値とが記憶されており、
前記リネン設備に不具合が有ると判断した場合に、その判断の根拠となった前記不良種類に対応する前記識別子に対応する前記布類処理装置に、対応する補正値を送信する
ことを特徴とする請求項１８、１９または２０記載のリネン設備の診断システム。
【発明の詳細な説明】
【技術分野】
【０００１】
本発明は、リネン設備の診断装置および診断システムに関する。さらに詳しくは、リネン設備を構成する各種布類処理装置の不具合の有無を判断する診断装置および診断システムに関する。
【背景技術】
【０００２】
ホテルや病院では大量にシーツ、タオル、衣類などの布類が使用される。使用済みの布類は回収してランドリー工場で洗濯・アイロン掛け・折り畳みが行われ、再度ホテルや病院に運んで、そこで使用されることが一般的である。
【０００３】
ランドリー工場では、複数の布類処理装置により処理ラインが構成されている。例えば、投入機、ロールアイロナー、折畳み機により仕上げラインが構成されている。仕上げラインでは、洗濯、乾燥済みの布類が投入機に投入されるとたるみのない整姿状態に整えられ、ロールアイロナーでアイロン掛けが行なわれ、折畳み機で折り畳みが行われる。
【０００４】
特許文献１には検査装置が開示されている。検査装置が布類の汚れや破れを検知した場合には、その布類を処理ラインから排除して別途処理を行う。
【先行技術文献】
【特許文献】
【０００５】
【特許文献１】特開２０１４−１１２０３５号公報
【発明の概要】
【発明が解決しようとする課題】
【０００６】
従来の検査装置は布類を撮影した画像に基づいて布類の品質検査を行うだけであった。一方で、リネン設備を構成する各種布類処理装置の不具合を検知することが求められている。そこで、本願発明者は、検査装置を布類の品質検査に用いるだけでなく、リネン設備の診断に用いることの着想を得た。
【０００７】
本発明は上記事情に鑑み、布類を撮影した画像に基づいてリネン設備の診断を行えるリネン設備の診断装置および診断システムを提供することを目的とする。
【課題を解決するための手段】
【０００８】
第１発明のリネン設備の診断装置は、リネン設備内を搬送される布類を撮影するカメラと、前記カメラで撮影された布類画像が入力される画像処理装置と、を備え、前記画像処理装置は、前記布類画像に基づいて前記布類が有する不良の不良種類を判別し、前記不良種類の判別結果に基づいて前記リネン設備の不具合の有無を判断することを特徴とする。
第２発明のリネン設備の診断装置は、第１発明において、前記画像処理装置は、前記不良種類の判別結果に基づいて前記不良種類ごとの種類別不良率の時間変化を求め、前記種類別不良率の増加幅が閾値を超えるか否かにより前記リネン設備の不具合の有無を判断することを特徴とする。
第３発明のリネン設備の診断装置は、第１または第２発明において、前記不良種類は、サビ汚れ、カビ汚れ、綿埃付着、同位置汚れ、ピンホール、脆化、角破れ、姿勢回転、先頭縁弛み、耳折れ、引張皺、圧縮皺、同位置皺のうちの一または複数を含むことを特徴とする。
第４発明のリネン設備の診断装置は、第１、第２または第３発明において、前記画像処理装置に接続された表示装置を備え、前記画像処理装置は、予め、一または複数の前記不良種類と、それぞれの前記不良種類の原因となる前記リネン設備に関する不具合情報とが記憶されており、前記リネン設備に不具合が有ると判断した場合に、その判断の根拠となった前記不良種類に対応する前記不具合情報を前記表示装置に表示することを特徴とする。
第５発明のリネン設備の診断装置は、第１、第２、第３または第４発明において、前記画像処理装置は、予め、一または複数の前記不良種類と、それぞれの前記不良種類の原因となる前記リネン設備に関する不具合情報とが記憶されており、前記リネン設備に不具合が有ると判断した場合に、その判断の根拠となった前記不良種類に対応する前記不具合情報をメール送信することを特徴とする。
第６発明のリネン設備の診断装置は、第１、第２、第３、第４または第５発明において、前記画像処理装置は、予め、一または複数の前記不良種類と、それぞれの前記不良種類の発生源である布類処理装置の識別子とが記憶されており、前記リネン設備に不具合が有ると判断した場合に、その判断の根拠となった前記不良種類に対応する前記布類処理装置に不具合信号を送信することを特徴とする。
第７発明のリネン設備の診断装置は、第１、第２、第３、第４または第５発明において、前記画像処理装置は、予め、一または複数の前記不良種類と、それぞれの前記不良種類の発生源である布類処理装置の識別子と、前記布類処理装置の補正値とが記憶されており、前記リネン設備に不具合が有ると判断した場合に、その判断の根拠となった前記不良種類に対応する前記布類処理装置に、対応する前記補正値を送信することを特徴とする。
第８発明のリネン設備の診断装置は、第１発明において、前記画像処理装置は、前記布類画像に基づいて前記布類の不良の有無を判断し、前記不良の判断結果に基づいて総合不良率の時間変化を求め、前記総合不良率の増加幅が閾値を超えるか否かにより前記リネン設備の不具合の有無を判断することを特徴とする。
第９発明のリネン設備の診断システムは、リネン設備内を搬送される布類を撮影するカメラと、前記カメラで撮影された布類画像が入力される画像処理装置と、前記画像処理装置と通信可能なサーバ装置と、を備え、前記画像処理装置は、前記布類画像に基づいて前記布類が有する不良の不良種類を判別し、前記不良種類の判別結果に基づいて前記リネン設備の不具合の有無を判断することを特徴とする。
第１０発明のリネン設備の診断システムは、第９発明において、前記サーバ装置と通信可能であり、表示装置を備えるクライアントコンピュータを備え、前記画像処理装置は、予め、一または複数の前記不良種類と、それぞれの前記不良種類の原因となる前記リネン設備に関する不具合情報とが記憶されており、前記リネン設備に不具合が有ると判断した場合に、その判断の根拠となった前記不良種類に対応する前記不具合情報を前記サーバ装置に送信し、前記サーバ装置は、前記画像処理装置から受信した前記不具合情報を記憶し、前記クライアントコンピュータは、前記サーバ装置が前記画像処理装置から受信した前記不具合情報を前記サーバ装置から取得し、前記表示装置に表示することを特徴とする。
第１１発明のリネン設備の診断システムは、第９または第１０発明において、前記画像処理装置は、予め、一または複数の前記不良種類と、それぞれの前記不良種類の原因となる前記リネン設備に関する不具合情報とが記憶されており、前記リネン設備に不具合が有ると判断した場合に、その判断の根拠となった前記不良種類に対応する前記不具合情報を前記サーバ装置に送信し、前記サーバ装置は、前記画像処理装置から受信した前記不具合情報をメール送信することを特徴とする。
第１２発明のリネン設備の診断システムは、第９、第１０または第１１発明において、前記画像処理装置は、予め、一または複数の前記不良種類と、それぞれの前記不良種類の発生源である布類処理装置の識別子とが記憶されており、前記リネン設備に不具合が有ると判断した場合に、その判断の根拠となった前記不良種類に対応する前記識別子を前記サーバ装置に送信し、前記サーバ装置は、前記画像処理装置から受信した前記識別子に対応する前記布類処理装置に不具合信号を送信することを特徴とする。
第１３発明のリネン設備の診断システムは、第９、第１０または第１１発明において、前記画像処理装置は、予め、一または複数の前記不良種類と、それぞれの前記不良種類の発生源である布類処理装置の識別子と、前記布類処理装置の補正値とが記憶されており、前記リネン設備に不具合が有ると判断した場合に、その判断の根拠となった前記不良種類に対応する前記識別子および前記補正値を前記サーバ装置に送信し、前記サーバ装置は、前記画像処理装置から受信した前記識別子に対応する前記布類処理装置に、前記画像処理装置から受信した前記補正値を送信することを特徴とする。
第１４発明のリネン設備の診断システムは、第９発明において、前記サーバ装置と通信可能であり、表示装置を備えるクライアントコンピュータを備え、前記画像処理装置は、前記リネン設備に不具合が有ると判断した場合に、その判断の根拠となった前記不良種類を前記サーバ装置に送信し、前記サーバ装置は、予め、一または複数の前記不良種類と、それぞれの前記不良種類の原因となる前記リネン設備に関する不具合情報とが記憶されており、前記画像処理装置から受信した前記不良種類を記憶し、前記クライアントコンピュータは、前記サーバ装置が前記画像処理装置から受信した前記不良種類に対応する前記不具合情報を前記サーバ装置から取得し、前記表示装置に表示することを特徴とする。
第１５発明のリネン設備の診断システムは、第９または第１４発明において、前記画像処理装置は、前記リネン設備に不具合が有ると判断した場合に、その判断の根拠となった前記不良種類を前記サーバ装置に送信し、前記サーバ装置は、予め、一または複数の前記不良種類と、それぞれの前記不良種類の原因となる前記リネン設備に関する不具合情報とが記憶されており、前記画像処理装置から受信した前記不良種類に対応する前記不具合情報をメール送信することを特徴とする。
第１６発明のリネン設備の診断システムは、第９、第１４または第１５発明において、前記画像処理装置は、前記リネン設備に不具合が有ると判断した場合に、その判断の根拠となった前記不良種類を前記サーバ装置に送信し、前記サーバ装置は、予め、一または複数の前記不良種類と、それぞれの前記不良種類の発生源である布類処理装置の識別子とが記憶されており、前記画像処理装置から受信した前記不良種類に対応する前記識別子に対応する前記布類処理装置に不具合信号を送信することを特徴とする。
第１７発明のリネン設備の診断システムは、第９、第１４または第１５発明において、前記画像処理装置は、前記リネン設備に不具合が有ると判断した場合に、その判断の根拠となった前記不良種類を前記サーバ装置に送信し、前記サーバ装置は、予め、一または複数の前記不良種類と、それぞれの前記不良種類の発生源である布類処理装置の識別子と、前記布類処理装置の補正値とが記憶されており、前記画像処理装置から受信した前記不良種類に対応する前記識別子に対応する前記布類処理装置に、前記画像処理装置から受信した前記不良種類に対応する補正値を送信することを特徴とする。
第１８発明のリネン設備の診断システムは、リネン設備内を搬送される布類を撮影するカメラと、前記カメラで撮影された布類画像が入力される画像処理装置と、前記画像処理装置と通信可能なサーバ装置と、を備え、前記画像処理装置は、前記布類画像に基づいて前記布類が有する不良の不良種類を判別し、前記不良種類の判別結果を前記サーバ装置に送信し、前記サーバ装置は、前記画像処理装置から受信した前記不良種類の判別結果に基づいて前記リネン設備の不具合の有無を判断することを特徴とする。
第１９発明のリネン設備の診断システムは、第１８発明において、前記サーバ装置と通信可能であり、表示装置を備えるクライアントコンピュータを備え、前記サーバ装置は、予め、一または複数の前記不良種類と、それぞれの前記不良種類の原因となる前記リネン設備に関する不具合情報とが記憶されており、前記リネン設備に不具合が有ると判断した場合に、その判断の根拠となった前記不良種類を特定し、前記クライアントコンピュータは、前記サーバ装置が特定した前記不良種類に対応する前記不具合情報を前記サーバ装置から取得し、前記表示装置に表示することを特徴とする。
第２０発明のリネン設備の診断システムは、第１８または第１９発明において、前記サーバ装置は、予め、一または複数の前記不良種類と、それぞれの前記不良種類の原因となる前記リネン設備に関する不具合情報とが記憶されており、前記リネン設備に不具合が有ると判断した場合に、その判断の根拠となった前記不良種類に対応する前記不具合情報をメール送信することを特徴とする。
第２１発明のリネン設備の診断システムは、第１８、第１９または第２０発明において、前記サーバ装置は、予め、一または複数の前記不良種類と、それぞれの前記不良種類の発生源である布類処理装置の識別子とが記憶されており、前記リネン設備に不具合が有ると判断した場合に、その判断の根拠となった前記不良種類に対応する前記識別子に対応する前記布類処理装置に不具合信号を送信することを特徴とする。
第２２発明のリネン設備の診断システムは、第１８、第１９または第２０発明において、前記サーバ装置は、予め、一または複数の前記不良種類と、それぞれの前記不良種類の発生源である布類処理装置の識別子と、前記布類処理装置の補正値とが記憶されており、前記リネン設備に不具合が有ると判断した場合に、その判断の根拠となった前記不良種類に対応する前記識別子に対応する前記布類処理装置に、対応する補正値を送信することを特徴とする。
【発明の効果】
【０００９】
第１発明によれば、布類画像に基づいて布類が有する不良の不良種類を判別することで、その不良種類の原因となるリネン設備に関する不具合を特定できるので、リネン設備の診断を行える。
第２発明によれば、布類の不良を統計的に分析してリネン設備の不具合の有無を判断するので、反応が過敏になりすぎない。
第３発明によれば、不良種類からリネン設備に関する不具合を特定できるので、リネン設備の診断を行える。
第４発明によれば、不具合情報を表示装置に表示するので、その表示を見た作業員がリネン設備をメンテナンスするなどの対応ができる。その結果、リネン設備の歩留まりが向上する。
第５発明によれば、不具合情報をメール送信するので、作業員に対して能動的に不具合を通知できる。そのため、作業員が早期にリネン設備の不具合を認識でき、早期に対応がとれる。
第６発明によれば、不良の発生源である布類処理装置に不具合信号を送信するので、不具合信号を受信した布類処理装置が自動的にパラメータを補正することで、リネン設備の不具合を自動的に解消できる。
第７発明によれば、不良の発生源である布類処理装置に補正値を送信するので、布類処理装置が受信した補正値に基づきパラメータを補正することで、リネン設備の不具合を自動的に解消できる。
第８発明によれば、布類の不良の全体的な傾向から、リネン設備に何らかの不具合があると判断できる。
第９発明によれば、布類画像に基づいて布類が有する不良の不良種類を判別することで、その不良種類の原因となるリネン設備に関する不具合を特定できるので、リネン設備の診断を行える。
第１０発明によれば、クライアントコンピュータの表示装置にリネン設備の不具合情報を表示するので、リネン設備から離れた場所でもリネン設備を監視できる。
第１１発明によれば、不具合情報をメール送信するので、作業員に対して能動的に不具合を通知できる。そのため、作業員が早期にリネン設備の不具合を認識でき、早期に対応がとれる。
第１２発明によれば、不良の発生源である布類処理装置に不具合信号を送信するので、不具合信号を受信した布類処理装置が自動的にパラメータを補正することで、リネン設備の不具合を自動的に解消できる。
第１３発明によれば、不良の発生源である布類処理装置に補正値を送信するので、布類処理装置が受信した補正値に基づきパラメータを補正することで、リネン設備の不具合を自動的に解消できる。
第１４発明によれば、クライアントコンピュータの表示装置にリネン設備の不具合情報を表示するので、リネン設備から離れた場所でもリネン設備を監視できる。
第１５発明によれば、不具合情報をメール送信するので、作業員に対して能動的に不具合を通知できる。そのため、作業員が早期にリネン設備の不具合を認識でき、早期に対応がとれる。
第１６発明によれば、不良の発生源である布類処理装置に不具合信号を送信するので、不具合信号を受信した布類処理装置が自動的にパラメータを補正することで、リネン設備の不具合を自動的に解消できる。
第１７発明によれば、不良の発生源である布類処理装置に補正値を送信するので、布類処理装置が受信した補正値に基づきパラメータを補正することで、リネン設備の不具合を自動的に解消できる。
第１８発明によれば、布類画像に基づいて布類が有する不良の不良種類を判別することで、その不良種類の原因となるリネン設備に関する不具合を特定できるので、リネン設備の診断を行える。
第１９発明によれば、クライアントコンピュータの表示装置にリネン設備の不具合情報を表示するので、リネン設備から離れた場所でもリネン設備を監視できる。
第２０発明によれば、不具合情報をメール送信するので、作業員に対して能動的に不具合を通知できる。そのため、作業員が早期にリネン設備の不具合を認識でき、早期に対応がとれる。
第２１発明によれば、不良の発生源である布類処理装置に不具合信号を送信するので、不具合信号を受信した布類処理装置が自動的にパラメータを補正することで、リネン設備の不具合を自動的に解消できる。
第２２発明によれば、不良の発生源である布類処理装置に補正値を送信するので、布類処理装置が受信した補正値に基づきパラメータを補正することで、リネン設備の不具合を自動的に解消できる。
【図面の簡単な説明】
【００１０】
【図１】本発明の第１実施形態に係る診断装置の側面図である。
【図２】同診断装置の部分拡大図である。
【図３】同診断装置のブロック図である。
【図４】不良種類を説明した表である。
【図５】（Ａ）図は姿勢回転の説明図、（Ｂ）図は先頭縁弛みの説明図、（Ｃ）図は耳折れの説明図である。
【図６】（Ａ）図は反射光画像の例、（Ｂ）図は透過光画像の例である。
【図７】本発明の第２実施形態に係る診断装置のブロック図である。
【図８】本発明の第３実施形態に係る診断装置のブロック図である。
【図９】本発明の第４実施形態に係る診断システムのブロック図である。
【図１０】本発明の第５実施形態に係る診断システムのブロック図である。
【図１１】本発明の第６実施形態に係る診断システムのブロック図である。
【発明を実施するための形態】
【００１１】
つぎに、本発明の実施形態を図面に基づき説明する。
〔第１実施形態〕 − リネン設備の診断装置
（リネン設備）
まず、リネン設備を説明する。
ランドリー工場内にはリネン設備が設置される。リネン設備は布類を処理する各種の布類処理装置で構成されている。例えば、リネン設備は、洗濯機、脱水機、乾燥機、捌き装置、投入機、ロールアイロナー、検査装置、折畳み機、結束機がこの順に接続されて構成されている。布類はリネン設備内をコンベア、台車などの搬送装置で搬送されながら、各種の布類処理装置により各種の処理が施される。
【００１２】
ここで、「布類」はリネン設備の処理対象物である。布類として、シーツ、包布、ピロケース、タオルなどの方形状布類、浴衣、病衣などの衣類が挙げられる。なお、以下では布類としてシーツを処理する場合を例に説明する。「布類処理装置」は布類に対して何らかの処理を施す装置である。布類処理装置として、洗濯機、脱水機、乾燥機、捌き装置、投入機、ロールアイロナー、検査装置、折畳み機、結束機、搬送装置が挙げられる。
【００１３】
投入機は布類をたるみのない整姿状態に整えてロールアイロナーに受け渡す装置である。投入機は布類を把持するチャックや、布類を搬送するコンベアを備えている。布類の一辺の両角部をチャックで把持して吊り下げることで、布類を展開できる。
【００１４】
ロールアイロナーは投入機から受け取った布類をアイロン掛けする装置である。ロールアイロナーは一または複数の加熱ロールを備えている。布類を加熱ロールに接触させながら搬送することで、連続的に布類を乾燥させることができる。
【００１５】
検査装置は布類を撮影した画像に基づいて布類の品質を検査する装置である。検査装置で不良と判断された布類は、後続の折畳み機で排出され、繰り返し洗濯するなどの処理が行われる。
【００１６】
（診断装置）
つぎに、本発明の第１実施形態に係るリネン設備の診断装置１を説明する。
診断装置１は布類を撮影するカメラと、カメラで撮影された画像が入力される画像処理装置とを備えていればよく、その物理的構成は特に限定されない。以下では診断装置１の構成の一例を説明する。
【００１７】
本実施形態の診断装置１は前記検査装置と一体に構成されたものである。換言すれば、検査装置に診断装置１としての機能を追加したものである。なお、検査装置と診断装置１とを独立した別の装置としてもよい。
【００１８】
図１に示すように、診断装置１はロールアイロナーＡと折畳み機Ｂとの間に設けられている。診断装置１は布類を搬送する入側コンベア１１と出側コンベア１２とを有している。入側コンベア１１の上流端はロールアイロナーＡの排出部に接続している。出側コンベア１２の下流端は折畳み機Ｂの導入コンベアに接続している。ロールアイロナーＡから排出された布類は、入側コンベア１１および出側コンベア１２により搬送された後に、折畳み機Ｂに受け渡される。
【００１９】
診断装置１の上部には第１カメラ２１が設けられている。第１カメラ２１の光軸Ｌ１は入側コンベア１１の所定位置に達するよう設定されている。診断装置１の下部には第２カメラ２２が設けられている。第２カメラ２２の光軸Ｌ２は、途中に設けられた鏡２３により反射し、入側コンベア１１と出側コンベア１２との間に達するよう設定されている。なお、第１、第２カメラ２１、２２としては、例えば、布類をその幅方向（図１における紙面に対して垂直な方向）に沿って直線状に撮影するラインカメラが用いられる。
【００２０】
図２に示すように、入側コンベア１１の上面には暗色の検査台１３が設けられている。検査台１３の色は布類に比べて暗い色であればよく、黒色や灰色が選択される。検査台１３の上方には検査台１３を照らす光源２４が設けられている。第１カメラ２１の光軸Ｌ１は検査台１３に達するよう設定されている。
【００２１】
入側コンベア１１上を搬送される布類は、検査台１３の上を通過する。その際、布類の表面が光源２４により照らされる。そのため、第１カメラ２１は検査台１３を通過する布類の表面の反射光を撮影する。
【００２２】
入側コンベア１１と出側コンベア１２との接続部には隙間が設けられている。また、入側コンベア１１の下流端にはジャンプ台１４が設けられ、出側コンベア１２の上流端には受け台１５が設けられている。布類は入側コンベア１１と出側コンベア１２との間をジャンプして搬送される。
【００２３】
入側コンベア１１と出側コンベア１２との接続部の上方には光源２５が設けられている。また、入側コンベア１１と出側コンベア１２との接続部の下方には光源２６が設けられている。布類が入側コンベア１１と出側コンベア１２との間をジャンプする際に、光源２５から照射された光は布類の表面側から裏面側に透過する。また、光源２６から照射された光は布類の裏面で反射する。そのため、第２カメラ２２は布類の透過光を撮影するとともに、布類の裏面の反射光を撮影する。
【００２４】
以下では、第１カメラ２１で撮影された布類の画像を「反射光画像」と称する。また、第２カメラ２２で撮影された布類の画像を「透過光画像」と称する。反射光画像、透過光画像の総称として「布類画像」との用語を用いる。
【００２５】
なお、本明細書では、説明の便宜のため布類の検査台１３に接しない方の面を表面とし、接する方の面を裏面とする。したがって、布類固有の表面、裏面とは必ずしも一致しない。
【００２６】
図３に示すように、診断装置１は画像処理装置３０と表示装置４０とを備えている。画像処理装置３０はＣＰＵやメモリなどで構成されたコンピュータである。第１、第２カメラ２１、２２で撮影された布類画像は画像処理装置３０に入力されている。表示装置４０は画像処理装置３０に接続されている。表示装置４０はリネン設備の不具合情報を表示できればよく、液晶ディスプレイなどのほか、複数のランプで構成してもよい。画像処理装置３０が布類画像に基づいてリネン設備の診断を行い、不具合情報を表示装置４０に表示する。
【００２７】
（不良種類）
ところで、リネン設備で処理される布類は種々の不良を有する可能性がある。以下、シーツの場合を例に、図４に示す表を参照しつつ、不良の種類を説明する。
布類の不良には、大きく分けて「欠陥」、「形状不良」がある。「欠陥」とは布類自体に不良があることを意味する。欠陥には「汚れ」、「破れ」が含まれる。「形状不良」とは布類の展開に不良があることを意味する。形状不良には「載置不良」、「皺」が含まれる。
【００２８】
「汚れ」には、洗濯で落としきれなかった通常の汚れのほか、「サビ汚れ」、「カビ汚れ」、「綿埃付着」、「同位置汚れ」が含まれる。「サビ汚れ」とは布類処理装置のサビが布類に付着してできた汚れである。洗濯機や台車などのサビが布類に付着してサビ汚れとなる。「カビ汚れ」とは布類にカビが発生したことによる汚れである。布類を十分に乾燥させずに保管するとカビが発生する可能性がある。カビ汚れは洗濯機やロールアイロナーの設定、布類の保管環境に起因する。「綿埃付着」とは布類処理装置で発生する綿埃（リントとも称される。）が布類に付着してできた汚れである。ロールアイロナーでは綿埃が発生しやすい。ロールアイロナーの内部の清掃が不十分であると、装置内の綿埃が布類に付着する可能性がある。「同位置汚れ」とは複数の布類について、布類の搬送方向と直交する方向（例えば、布類の幅方向）における同じ位置に、同様の汚れが付着することを意味する。ロールアイロナーの加熱ロールに異物が付着していると、加熱ロールの回転周期に合わせて複数の布類に同様の汚れが付着する。
【００２９】
「破れ」には、通常の破れのほか、「ピンホール」、「脆化」、「角破れ」が含まれる。「ピンホール」とは布類にできた小さい孔である。洗濯機で用いる漂白剤が多すぎたり、強すぎたりすると布類にピンホールが生じる。ピンホールは脱水機の設定にも起因する。「脆化」とは布類が劣化して薄くなっていることを意味する。脆化は洗濯機における薬剤の過使用などに起因にする。「角破れ」とは布類の角部の破れを意味する。投入機では布類の角部をチャックで把持する。チャックに不良があると布類の角部に過負荷がかかり、破れる可能性がある。
【００３０】
「載置不良」には、「姿勢回転」、「先頭縁弛み」、「耳折れ」が含まれる。図５（Ａ）に示すように、「姿勢回転」とは布類処理装置内のコンベアに載せられた布類の姿勢が搬送方向（白抜き矢印の方向）に対して正常な姿勢から回転していることを意味する。姿勢回転は投入機による布類の展開不良に起因する。図５（Ｂ）に示すように、「先頭縁弛み」とは布類の搬送方向（白抜き矢印の方向）の先頭縁がＵ字形に弛んでいることを意味する。先頭縁弛みは投入機による布類の展開不良に起因する。図５（Ｃ）に示すように、「耳折れ」とは布類の角部が折れ重なっていることを意味する。耳折れは投入機による布類の展開不良のほか、コンベア間の布類の乗り継ぎ不良に起因する。
【００３１】
「皺」には、通常の皺のほか、「引張皺」、「圧縮皺」、「同位置皺」が含まれる。「引張皺」とは布類の搬送方向の後尾縁が窄まるように縦皺が入ることを意味する。布類がコンベア間を乗り継ぐ際、下流側コンベアの搬送速度が上流側コンベアの搬送速度よりも速すぎると、布類が引っ張られ引張皺が生じる。引張皺は投入機による布類の展開不良に起因する可能性もある。「圧縮皺」とは布類に搬送方向と直交する横皺が入ることを意味する。布類がコンベア間を乗り継ぐ際、下流側コンベアの搬送速度が上流側コンベアの搬送速度よりも遅いと、布類が圧縮され圧縮皺が生じる。「同位置皺」とは複数の布類について、布類の搬送方向と直交する方向（例えば、布類の幅方向）における同じ位置に、同様の皺が発生することを意味する。ロールアイロナーの加熱ロールに異物が付着していると、加熱ロールの回転周期に合わせて複数の布類に同様の皺が発生する。
【００３２】
以上のように、布類の不良は細かい種類（以下、「不良種類」と称する。）に分類できる。また、不良種類にはリネン設備の不具合に起因するものがある。そのため、布類が有する不良の種類を判別すれば、その不良の発生原因たるリネン設備の不具合を特定できる。これにより、リネン設備の診断ができる。ここで、不良の発生原因には、不良の発生源としての布類処理装置の別と、具体的な要因とが含まれる（図４参照）。なお、診断装置１で特定できる発生源は、リネン設備において診断装置１よりも上流側に設置される布類処理装置である。
【００３３】
（診断処理）
図３に戻り、診断装置１によるリネン設備の診断処理を説明する。
画像処理装置３０は不良種類判別部３１、統計処理部３２、表示制御部３３を有している。不良種類判別部３１、統計処理部３２、表示制御部３３は、コンピュータである画像処理装置３０がプログラムを実行することで実現される。また、画像処理装置３０は記憶部３４を有している。
【００３４】
記憶部３４には、予め、一または複数の不良種類と、それぞれの不良種類の原因となるリネン設備に関する不具合情報とが記憶されている。なお、不良種類の数は通常複数であるが、一種類の不良に基づいてリネン設備を診断する場合は不良種類の数が一つでもよい。
【００３５】
ここで、不具合情報には前述の不良の発生原因、すなわち発生源と、具体的な要因とが含まれる。不具合情報には発生原因のほか、不具合を解消するためのリネン設備のメンテナンス方法など、その他の情報が含まれてもよい。記憶部３４には、図４に示すように不良種類と不具合情報との対応関係が記憶されている。
【００３６】
本実施形態では、不良種類として、前述のサビ汚れ、カビ汚れ、綿埃付着、同位置汚れ、ピンホール、脆化、角破れ、姿勢回転、先頭縁弛み、耳折れ、引張皺、圧縮皺、同位置皺が含まれる。これらの不良種類であれば、不良種類からリネン設備に関する不具合を特定できるので、リネン設備の診断を行える。なお、不良種類の選択は特に限定されず、上記の不良種類のうち一または複数を選択してもよいし、他の種類を追加してもよい。
【００３７】
不良種類判別部３１は、第１、第２カメラ２１、２２から取得した布類画像に基づいて布類の不良の有無を判断する。また、布類に不良がある場合には、布類画像に基づいて布類が有する不良の不良種類を判別する。各不良種類の判別方法は後述する。
【００３８】
統計処理部３２は不良種類判別部３１から受け取った不良種類の判別結果に基づいて、布類の不良を統計的に分析し、リネン設備の不具合の有無を判断する。具体的には、不良種類の判別結果に基づいて不良種類ごとの不良率（以下、「種類別不良率」と称する。）の時間変化を求める。そして、種類別不良率の増加幅が閾値を超えるか否かによりリネン設備の不具合の有無を判断する。いずれかの不良種類の種類別不良率の増加幅が閾値を超えた場合に、リネン設備に不具合が有ると判断する。
【００３９】
例えば、統計処理部３２は所定時間ごとに種類別不良率を求める。種類別不良率を求める期間は、対応する不良種類の分析に適した期間に設定すればよく、３０分、１時間、１日、１週間などに設定される。そして、現在の種類別不良率と直近の種類別不良率とを比較し、増加幅が閾値を超えるか否かを判断する。閾値はその不良種類に対応するリネン設備の不具合の有無を適切に判断できる値に設定すればよい。なお、現在の種類別不良率と前週の種類別不良率とを比較して、リネン設備の不具合の有無を判断してもよい。
【００４０】
表示制御部３３は表示装置４０の表示を制御する機能を有する。統計処理部３２がリネン設備に不具合が有ると判断した場合に、表示制御部３３はその判断の根拠となった不良種類に対応する不具合情報を記憶部３４から取得し、表示装置４０に表示する。表示装置４０の表示の態様は特に限定されないが、不良の発生源たる布類処理装置の名前や、具体的な要因、リネン設備のメンテナンス方法などを表示すればよい。
【００４１】
例えば、サビ汚れの種類別不良率が３０分前は１％だったところ、現在は１０％であり、増加幅（９％）が閾値を超えたとする。この場合、統計処理部３２はリネン設備に不具合が有ると判断する。表示制御部３３はサビ汚れに対応する不具合情報を記憶部３４から取得し、表示装置４０に表示する。
【００４２】
なお、統計処理部３２がリネン設備に不具合が有ると判断した場合に、自動的に不具合情報を表示装置４０に表示すればよい。外部入力により診断結果を表示することを要求された場合に、その時点で特定されている不良種類について、それに対応する不具合情報を表示装置４０に表示してもよい。
【００４３】
以上のように、布類画像に基づいて布類が有する不良の不良種類を判別することで、その不良種類の原因となるリネン設備に関する不具合を特定できる。これにより、リネン設備の診断を行える。リネン設備の不具合情報が表示装置４０に表示されるので、その表示を見た作業員がリネン設備の該当箇所をメンテナンスするなどの対応ができる。その結果、リネン設備の歩留まりを向上できる。
【００４４】
なお、本実施形態では、布類の不良を統計的に分析してリネン設備の不具合の有無を判断するよう構成している。これに代えて、布類の不良がいずれかの不良種類に該当した場合に、すぐにリネン設備に不具合が有ると判断するよう構成してもよい。ただし、一般にリネン設備における布類の不良率は５〜１０％である。そのため、１回の不良の検知で不具合情報を表示したのでは反応が過敏になる。本実施形態のように、布類の不良を統計的に分析してリネン設備の不具合の有無を判断するよう構成すれば、反応が過敏になりすぎない。
【００４５】
また、統計処理部３２は布類の総合的な不良率（以下、「総合不良率」と称する。）に基づいて、リネン設備の不具合の有無を判断してもよい。ここで総合不良率とは不良種類に関係なく、布類に何らかの不良が生じている割合を意味する。
【００４６】
具体的には、統計処理部３２は不良種類判別部３１から受け取った布類の不良の判断結果に基づいて総合不良率の時間変化を求める。そして、総合不良率の増加幅が閾値を超えるか否かにより、リネン設備の不具合の有無を判断する。リネン設備に不具合が有ると判断した場合、表示制御部３３はリネン設備に何らかの不具合がある旨を表示装置４０に表示する。このように、布類の不良の全体的な傾向から、リネン設備に何らかの不具合があると判断することもできる。
【００４７】
（判別処理）
つぎに、各不良種類について、その判別処理を説明する。
まず、汚れと破れの基本的な判別処理を説明する。
布類に汚れと破れがある場合は図６（Ａ）、（Ｂ）に示すような画像が得られる。図６（Ａ）は第１カメラ２１で撮影された反射光画像であり、背景が暗色（検査台１３の色）である布類の表側の画像である。図６（Ｂ）は第２カメラ２２で撮影された透過光画像であり、背景が白色（透過光）である布類の裏側の画像である。
【００４８】
反射光画像（Ａ）においては、汚れと破れは共に周囲の色（布類の色）よりも暗く表示される。これは、汚れている部分は汚れそのものの色により暗くなり、破れている部分は破れた穴から見える検査台１３の色により暗くなるためである。一方、透過光画像（Ｂ）においては、汚れは周囲の色よりも暗く表示され、破れは周囲の色よりも明るく表示される。これは、汚れている部分は汚れそのものの色により暗くなり、破れている部分は破れた穴から光源２５の光が直接届くので明るくなるためである。
【００４９】
したがって、反射光画像（Ａ）と透過光画像（Ｂ）とを比較し、布類の同位置において反射光画像（Ａ）と透過光画像（Ｂ）とが共に周囲よりも暗い部分を汚れと判断できる。また、布類の同位置において反射光画像（Ａ）は周囲よりも暗く、透過光画像（Ｂ）は周囲よりも明るい部分を破れと判断することができる。
【００５０】
不良種類判別部３１は、前記処理で汚れと判断した領域の色が、予め設定されたサビ色と一致する場合に、サビ汚れであると判断する。サビ色は例えば、濃い茶色であり、記憶部３４に記憶される。同様に、不良種類判別部３１は、カビ汚れ、綿埃付着、同位置汚れを、それぞれに固有の特徴（汚れと判断した領域の色、形状、位置など）に基づき判断する。
【００５１】
不良種類判別部３１は、前記処理で破れと判断した領域の面積が、予め設定された閾値以下の場合に、ピンホールであると判断する。同様に、不良種類判別部３１は、脆化、角破れを、それぞれに固有の特徴（破れと判断した領域の形状、位置など）に基づき判断する。
【００５２】
不良種類判別部３１は、布類画像から布類の輪郭を取得する。布類の輪郭から姿勢回転、先頭縁弛み、耳折れを判断する。また、不良種類判別部３１は、布類画像に含まれる皺の特徴から、引張皺、圧縮皺、同位置皺を判断する。
【００５３】
〔第２実施形態〕
つぎに、本発明の第２実施形態に係るリネン設備の診断装置２を説明する。
図７に示すように、診断装置２は第１、第２カメラ２１、２２と、画像処理装置３０とを備えている。これらの構成は第１実施形態に係る診断装置１と同様であるので、同一部材に同一符号を付して説明を省略する。なお、表示装置４０は設けてもよいし、設けなくてもよい。
【００５４】
画像処理装置３０は不良種類判別部３１、統計処理部３２、記憶部３４に加え、メール送信部３５を有している。メール送信部３５はネットワーク５０に接続されている。ネットワーク５０は、例えばインターネットである。回線の範囲がリネン設備が設置されるランドリー工場内に限られるＬＡＮ（Local Area Network）でもよいし、ランドリー工場外まで広がるＷＡＮ（Wide Area Network）でもよい。
【００５５】
ネットワーク５０には、さらに送信メールサーバ５１と、受信メールサーバ５２と、基地局５３とが接続されている。また、ランドリー工場内で作業を行う作業員Ｗは携帯端末５４を有している。携帯端末５４には、予め、メールクライアントソフトがインストールされている。携帯端末５４は基地局５３と無線通信可能となっている。
【００５６】
つぎに、診断装置２の処理を説明する。
画像処理装置３０は第１実施形態と同様にリネン設備の診断処理を行う。すなわち、不良種類判別部３１は第１、第２カメラ２１、２２から取得した布類画像に基づいて布類が有する不良の不良種類を判別する。統計処理部３２は不良種類判別部３１から受け取った不良種類の判別結果に基づいて、布類の不良を統計的に分析し、リネン設備の不具合の有無を判断する。
【００５７】
統計処理部３２がリネン設備に不具合が有ると判断した場合に、メール送信部３５はその判断の根拠となった不良種類に対応する不具合情報を記憶部３４から取得する。そして、メール送信部３５は記憶部３４から取得した不具合情報をメール送信する。
【００５８】
ここで、送信先のメールアドレスは予めメール送信部３５に設定されている。ここでは、携帯端末５４のメールアドレスが設定されているとする。メール送信部３５は当該メールアドレスと不具合情報とを含むメールを、ネットワーク５０を介して送信メールサーバ５１に送信する。送信メールサーバ５１はメールに含まれるメールアドレスから受信メールサーバ５２を探索し、そのメールを受信メールサーバ５２に送信する。携帯端末５４は基地局５３を介して受信メールサーバ５２からメールを取得する。したがって、メール送信部３５が送信したメールは、作業員Ｗの携帯端末５４で受信される。
【００５９】
以上のように、不具合情報をメール送信することで、作業員Ｗに対して能動的に不具合を通知できる。そのため、作業員Ｗが早期にリネン設備の不具合を認識でき、早期に対応がとれる。
【００６０】
ランドリー工場内で作業を行う複数の作業員Ｗが有する複数の携帯端末５４に対してメール送信してもよい。リネン設備を構成する複数の布類処理装置のそれぞれに担当の作業員Ｗが割り当てられている場合には、それぞれの作業員Ｗに対して担当する布類処理装置の不具合情報のみをメール送信するよう構成してもよい。
【００６１】
この場合、診断装置２は例えばつぎのように構成される。記憶部３４には、予め、一または複数の不良種類と、それぞれの不良種類の原因となるリネン設備に関する不具合情報と、それぞれの不良種類に対応するメールアドレスとが記憶されている。統計処理部３２がリネン設備に不具合が有ると判断した場合に、メール送信部３５はその判断の根拠となった不良種類に対応する不具合情報およびメールアドレスを記憶部３４から取得する。そして、メール送信部３５は記憶部３４から取得した不具合情報を、取得したメールアドレスにメール送信する。
【００６２】
なお、メールの送信先は、ランドリー工場内で作業を行う作業員Ｗが有する携帯端末５４に限定されず、種々の送信先を設定できる。
【００６３】
〔第３実施形態〕
つぎに、本発明の第３実施形態に係るリネン設備の診断装置３を説明する。
図８に示すように、診断装置３は第１、第２カメラ２１、２２と、画像処理装置３０とを備えている。これらの構成は第１実施形態に係る診断装置１と同様であるので、同一部材に同一符号を付して説明を省略する。なお、表示装置４０は設けてもよいし、設けなくてもよい。
【００６４】
画像処理装置３０は不良種類判別部３１、統計処理部３２、記憶部３４に加え、通信制御部３６を有している。ランドリー工場内にはイントラネット６０が構築されている。イントラネット６０には画像処理装置３０の通信制御部３６のほか、リネン設備を構成する種々の布類処理装置６１、６２、６３、・・・が接続されている。したがって、画像処理装置と布類処理装置６１、６２、６３とは相互に通信可能となっている。
【００６５】
記憶部３４には、予め、一または複数の不良種類と、それぞれの不良種類の発生源である布類処理装置６１、６２、６３の識別子とが記憶されている。ここで、「識別子」とは、各布類処理装置６１、６２、６３を識別するのに用いられる属性を意味する。識別子として、例えば、イントラネット６０における各布類処理装置６１、６２、６３のＩＰアドレスが用いられる。
【００６６】
つぎに、診断装置３の処理を説明する。
画像処理装置３０は第１実施形態と同様にリネン設備の診断処理を行う。すなわち、不良種類判別部３１は第１、第２カメラ２１、２２から取得した布類画像に基づいて布類が有する不良の不良種類を判別する。統計処理部３２は不良種類判別部３１から受け取った不良種類の判別結果に基づいて、布類の不良を統計的に分析し、リネン設備の不具合の有無を判断する。
【００６７】
統計処理部３２がリネン設備に不具合が有ると判断した場合に、通信制御部３６はその判断の根拠となった不良種類に対応する識別子を記憶部３４から取得する。そして、通信制御部３６は記憶部３４から取得した識別子に対応する布類処理装置６１、６２、６３に不具合信号を送信する。ここで、「不具合信号」とは、布類処理装置６１、６２、６３に不具合が生じていることを通知する信号である。不具合信号には不良種類を識別する情報が含まれてもよい。
【００６８】
各布類処理装置６１、６２、６３には制御装置が搭載されている。制御装置により各装置の動作の制御のほか、各種パラメータの管理が行われる。不具合信号を受信した布類処理装置６１、６２、６３の制御装置は、不具合信号に基づきその装置のパラメータを補正する。パラメータの補正値は、予め制御装置に記憶されているか、制御装置が自身で生成する。
【００６９】
例えば、先頭縁弛み（図５（Ｂ）参照）の種類別不良率が増加し、統計処理部３２がリネン設備に不具合が有ると判断したとする。前述のごとく、先頭縁弛みは投入機による布類の展開不良に起因する。この場合、通信制御部３６は投入機に不具合信号を送信する。不具合信号を受信した投入機は、展開チャックの引張量を補正する。これにより、先頭縁弛みが解消される。
【００７０】
以上のように、不良の発生源である布類処理装置６１、６２、６３に不具合信号を送信するので、不具合信号を受信した布類処理装置６１、６２、６３が自動的にパラメータを補正することで、リネン設備の不具合を自動的に解消できる。
【００７１】
布類処理装置６１、６２、６３に不具合信号を送信するのに代えて、補正値を送信してもよい。この場合、診断装置３はつぎのように構成される。
記憶部３４には、予め、一または複数の不良種類と、それぞれの不良種類の発生源である布類処理装置６１、６２、６３の識別子と、布類処理装置６１、６２、６３の補正値とが記憶されている。なお、補正値は、一の不良種類に対して一の値としてもよいし、種類別不良率の増加幅に対応した複数の値としてもよい。
【００７２】
統計処理部３２がリネン設備に不具合が有ると判断した場合に、通信制御部３６はその判断の根拠となった不良種類に対応する識別子および補正値を記憶部３４から取得する。そして、通信制御部３６は記憶部３４から取得した識別子に対応する布類処理装置６１、６２、６３に、取得した補正値を送信する。補正値を受信した布類処理装置６１、６２、６３の制御装置は、受信した補正値を用いてその装置のパラメータを補正する。
【００７３】
以上のように、不良の発生源である布類処理装置６１、６２、６３に補正値を送信すれば、布類処理装置６１、６２、６３が受信した補正値に基づきパラメータを補正することで、リネン設備の不具合を自動的に解消できる。
【００７４】
〔第４実施形態〕− リネン設備の診断システム
つぎに、本発明の第４実施形態に係るリネン設備の診断システム４を説明する。
図９に示すように、診断システム４は第１、第２カメラ２１、２２と、画像処理装置３０とを備えている。これらの構成は第１実施形態に係る診断装置１と同様であるので、同一部材に同一符号を付して説明を省略する。なお、表示装置４０は設けてもよいし、設けなくてもよい。
【００７５】
画像処理装置３０は不良種類判別部３１、統計処理部３２、記憶部３４に加え、通信制御部３６を有している。通信制御部３６はネットワーク５０に接続されている。
【００７６】
ネットワーク５０には、さらにサーバ装置７０とクライアントコンピュータ８０とが接続されている。したがって、サーバ装置７０は画像処理装置３０と通信可能である。また、クライアントコンピュータ８０はサーバ装置７０と通信可能である。
【００７７】
クライアントコンピュータ８０は、一台に限らず、複数台でもよい。また、サーバ装置７０とクライアントコンピュータ８０とは、物理的に別のコンピュータとしてもよいし、物理的には共通のコンピュータとし、両方の機能を備えた構成としてもよい。
【００７８】
サーバ装置７０は、メモリやハードディスクなどの記憶装置や、ＣＰＵなどから構成されるコンピュータである。サーバ装置７０は情報収集部７１、ウェブアプリケーション部７２を有している。情報収集部７１、ウェブアプリケーション部７２はサーバ装置７０の記憶装置に記憶されたプログラムをＣＰＵが実行することで実現される。
【００７９】
クライアントコンピュータ８０は汎用コンピュータである。クライアントコンピュータ８０は表示装置８１を備えている。
【００８０】
つぎに、診断システム４の処理を説明する。
画像処理装置３０は第１実施形態と同様にリネン設備の診断処理を行う。すなわち、不良種類判別部３１は第１、第２カメラ２１、２２から取得した布類画像に基づいて布類が有する不良の不良種類を判別する。統計処理部３２は不良種類判別部３１から受け取った不良種類の判別結果に基づいて、布類の不良を統計的に分析し、リネン設備の不具合の有無を判断する。
【００８１】
統計処理部３２がリネン設備に不具合が有ると判断した場合に、通信制御部３６はその判断の根拠となった不良種類に対応する不具合情報を記憶部３４から取得する。そして、ネットワーク５０を介して不具合情報をサーバ装置７０に送信する。
【００８２】
サーバ装置７０の情報収集部７１は、ネットワーク５０を通じて画像処理装置３０から受信した不具合情報を収集し、記憶する。不具合情報の記憶にはデータベースなどを利用できる。
【００８３】
ウェブアプリケーション部７２は、クライアントコンピュータ８０からの要求に応じて、リネン設備の不具合情報を表示するためのＨＴＭＬ文書などの表示情報を生成する。クライアントコンピュータ８０は、情報収集部７１が収集した不具合情報をウェブアプリケーション部７２を通じて取得する。そして、取得した不具合情報をウェブブラウザなどのソフトウエアにより表示装置８１に表示する。
【００８４】
以上のように、クライアントコンピュータ８０の表示装置８１にリネン設備の不具合情報を表示するので、リネン設備から離れた場所でもリネン設備を監視できる。
【００８５】
本実施形態の診断システム４は不具合情報をメール送信する機能をさらに有する。
ネットワーク５０には、さらに送信メールサーバ５１と、受信メールサーバ５２と、基地局５３とが接続されている。また、ランドリー工場内で作業を行う作業員Ｗは携帯端末５４を有している。
【００８６】
サーバ装置７０はメール送信部７３を有している。情報収集部７１が画像処理装置３０から不具合情報を受信した場合、メール送信部７３は受信した不具合情報をメール送信する。メール送信部７３から送信したメールは、送信メールサーバ５１、受信メールサーバ５２、基地局５３を介して携帯端末５４で受信される。
【００８７】
以上のように、不具合情報をメール送信することで、作業員Ｗに対して能動的に不具合を通知できる。そのため、作業員Ｗが早期にリネン設備の不具合を認識でき、早期に対応がとれる。
【００８８】
本実施形態の診断システム４は布類処理装置６１、６２、６３に不具合信号を送信する機能をさらに有する。
画像処理装置３０の通信制御部３６はランドリー工場内のイントラネット６０にも接続している。イントラネット６０にはリネン設備を構成する種々の布類処理装置６１、６２、６３が接続されている。
【００８９】
記憶部３４には、予め、一または複数の不良種類と、それぞれの不良種類の発生源である布類処理装置６１、６２、６３の識別子とが記憶されている。統計処理部３２がリネン設備に不具合が有ると判断した場合に、通信制御部３６はその判断の根拠となった不良種類に対応する識別子を記憶部３４から取得する。そして、通信制御部３６は取得した識別子をサーバ装置７０に送信する。
【００９０】
サーバ装置７０は布類処理装置管理部７４を有している。情報収集部７１が画像処理装置３０から識別子を受信した場合、布類処理装置管理部７４は受信した識別子に対応する布類処理装置６１、６２、６３に不具合信号を送信する。
【００９１】
以上のように、不良の発生源である布類処理装置６１、６２、６３に不具合信号を送信するので、不具合信号を受信した布類処理装置６１、６２、６３が自動的にパラメータを補正することで、リネン設備の不具合を自動的に解消できる。
【００９２】
布類処理装置６１、６２、６３に不具合信号を送信するのに代えて、補正値を送信してもよい。この場合、診断システム４はつぎのように構成される。
記憶部３４には、予め、一または複数の不良種類と、それぞれの不良種類の発生源である布類処理装置６１、６２、６３の識別子と、布類処理装置の補正値とが記憶されている。
【００９３】
統計処理部３２がリネン設備に不具合が有ると判断した場合に、通信制御部３６はその判断の根拠となった不良種類に対応する識別子および補正値を記憶部３４から取得する。そして、通信制御部３６は記憶部３４から取得した識別子および補正値をサーバ装置７０に送信する。
【００９４】
情報収集部７１が画像処理装置３０から識別子および補正値を受信した場合、布類処理装置管理部７４は受信した識別子に対応する布類処理装置６１、６２、６３に補正値を送信する。補正値を受信した布類処理装置６１、６２、６３の制御装置は、受信した補正値を用いてその装置のパラメータを補正する。
【００９５】
以上のように、不良の発生源である布類処理装置６１、６２、６３に補正値を送信すれば、布類処理装置６１、６２、６３が受信した補正値に基づきパラメータを補正することで、リネン設備の不具合を自動的に解消できる。
【００９６】
〔第５実施形態〕
つぎに、本発明の第５実施形態に係るリネン設備の診断システム５を説明する。
本実施形態の診断システム５は第４実施形態の診断システム４において、画像処理装置３０の機能の一部をサーバ装置７０に移したものである。
【００９７】
図１０に示すように、画像処理装置３０は不良種類判別部３１、統計処理部３２、通信制御部３６を有している。サーバ装置７０は情報収集部７１、ウェブアプリケーション部７２に加えて、記憶部７５を有している。記憶部７５には、予め、一または複数の不良種類と、それぞれの不良種類の原因となるリネン設備に関する不具合情報とが記憶されている。
【００９８】
画像処理装置３０は第１実施形態と同様にリネン設備の診断処理を行う。すなわち、不良種類判別部３１は第１、第２カメラ２１、２２から取得した布類画像に基づいて布類が有する不良の不良種類を判別する。統計処理部３２は不良種類判別部３１から受け取った不良種類の判別結果に基づいて、布類の不良を統計的に分析し、リネン設備の不具合の有無を判断する。
【００９９】
統計処理部３２がリネン設備に不具合が有ると判断した場合に、通信制御部３６はその判断の根拠となった不良種類を、ネットワーク５０を介してサーバ装置７０に送信する。
【０１００】
サーバ装置７０の情報収集部７１は、ネットワーク５０を通じて画像処理装置３０から受信した不良種類を収集し、記憶する。不良種類の記憶にはデータベースなどを利用できる。
【０１０１】
ウェブアプリケーション部７２は、クライアントコンピュータ８０からの要求に応じて、情報収集部７１が収集した不良種類に対応する不具合情報を記憶部７５から取得し、その不具合情報を表示するための表示情報を生成する。クライアントコンピュータ８０は、不具合情報をウェブアプリケーション部７２を通じて取得する。そして、取得した不具合情報をウェブブラウザなどのソフトウエアにより表示装置８１に表示する。
【０１０２】
以上のように、クライアントコンピュータ８０の表示装置８１にリネン設備の不具合情報を表示するので、リネン設備から離れた場所でもリネン設備を監視できる。
【０１０３】
本実施形態の診断システム５は不具合情報をメール送信する機能をさらに有する。
ネットワーク５０には、さらに送信メールサーバ５１と、受信メールサーバ５２と、基地局５３とが接続されている。また、ランドリー工場内で作業を行う作業員Ｗは携帯端末５４を有している。
【０１０４】
サーバ装置７０はメール送信部７３を有している。情報収集部７１が画像処理装置３０から不良種類を受信した場合、メール送信部７３は情報収集部７１が受信した不良種類に対応する不具合情報を記憶部７５から取得し、不具合情報をメール送信する。メール送信部７３から送信したメールは、送信メールサーバ５１、受信メールサーバ５２、基地局５３を介して携帯端末５４で受信される。
【０１０５】
以上のように、不具合情報をメール送信することで、作業員Ｗに対して能動的に不具合を通知できる。そのため、作業員Ｗが早期にリネン設備の不具合を認識でき、早期に対応がとれる。
【０１０６】
本実施形態の診断システム５は布類処理装置６１、６２、６３に不具合信号を送信する機能をさらに有する。
画像処理装置３０の通信制御部３６はランドリー工場内のイントラネット６０にも接続している。イントラネット６０にはリネン設備を構成する種々の布類処理装置６１、６２、６３が接続されている。
【０１０７】
サーバ装置７０は布類処理装置管理部７４を有している。また、記憶部７５には、予め、一または複数の不良種類と、それぞれの不良種類の発生源である布類処理装置６１、６２、６３の識別子とが記憶されている。情報収集部７１が画像処理装置３０から不良種類を受信した場合、布類処理装置管理部７４は情報収集部７１が受信した不良種類に対応する識別子を記憶部７５から取得する。そして、布類処理装置管理部７４は識別子に対応する布類処理装置６１、６２、６３に不具合信号を送信する。
【０１０８】
以上のように、不良の発生源である布類処理装置６１、６２、６３に不具合信号を送信するので、不具合信号を受信した布類処理装置６１、６２、６３が自動的にパラメータを補正することで、リネン設備の不具合を自動的に解消できる。
【０１０９】
布類処理装置６１、６２、６３に不具合信号を送信するのに代えて、補正値を送信してもよい。この場合、診断システム５はつぎのように構成される。
記憶部７５には、予め、一または複数の不良種類と、それぞれの不良種類の発生源である布類処理装置６１、６２、６３の識別子と、布類処理装置の補正値とが記憶されている。
【０１１０】
情報収集部７１が画像処理装置３０から不良種類を受信した場合、布類処理装置管理部７４は情報収集部７１が受信した不良種類に対応する識別子および補正値を記憶部７５から取得する。そして、布類処理装置管理部７４は識別子に対応する布類処理装置６１、６２、６３に、取得した補正値を送信する。補正値を受信した布類処理装置６１、６２、６３の制御装置は、受信した補正値を用いてその装置のパラメータを補正する。
【０１１１】
以上のように、不良の発生源である布類処理装置６１、６２、６３に補正値を送信すれば、布類処理装置６１、６２、６３が受信した補正値に基づきパラメータを補正することで、リネン設備の不具合を自動的に解消できる。
【０１１２】
〔第６実施形態〕
つぎに、本発明の第６実施形態に係るリネン設備の診断システム６を説明する。
本実施形態の診断システム６は第５実施形態の診断システム５において、さらに画像処理装置３０の機能の一部をサーバ装置７０に移したものである。
【０１１３】
図１１に示すように、画像処理装置３０は不良種類判別部３１、通信制御部３６を有している。サーバ装置７０は情報収集部７１、ウェブアプリケーション部７２、記憶部７５に加えて、統計処理部７６を有している。
【０１１４】
画像処理装置３０の不良種類判別部３１は第１、第２カメラ２１、２２から取得した布類画像に基づいて布類が有する不良の不良種類を判別する。通信制御部３６は不良種類判別部３１による不良種類の判別結果を、ネットワーク５０を介してサーバ装置７０に送信する。
【０１１５】
サーバ装置７０の情報収集部７１は、ネットワーク５０を通じて画像処理装置３０から受信した不良種類の判別結果を収集する。統計処理部７６は情報収集部７１から受け取った不良種類の判別結果に基づいて、布類の不良を統計的に分析し、リネン設備の不具合の有無を判断する。また、統計処理部７６はリネン設備に不具合が有ると判断した場合に、その判断の根拠となった不良種類を特定する。
【０１１６】
ウェブアプリケーション部７２は、クライアントコンピュータ８０からの要求に応じて、統計処理部７６が特定した不良種類に対応する不具合情報を記憶部７５から取得し、その不具合情報を表示するための表示情報を生成する。クライアントコンピュータ８０は、不具合情報をウェブアプリケーション部７２を通じて取得する。そして、取得した不具合情報をウェブブラウザなどのソフトウエアにより表示装置８１に表示する。
【０１１７】
以上のように、クライアントコンピュータ８０の表示装置８１にリネン設備の不具合情報を表示するので、リネン設備から離れた場所でもリネン設備を監視できる。
【０１１８】
本実施形態の診断システム６は不具合情報をメール送信する機能をさらに有する。
ネットワーク５０には、さらに送信メールサーバ５１と、受信メールサーバ５２と、基地局５３とが接続されている。また、ランドリー工場内で作業を行う作業員Ｗは携帯端末５４を有している。
【０１１９】
サーバ装置７０はメール送信部７３を有している。統計処理部７６がリネン設備に不具合が有ると判断した場合、メール送信部７３はその判断の根拠となった不良種類に対応する不具合情報を記憶部７５から取得し、不具合情報をメール送信する。メール送信部７３から送信したメールは、送信メールサーバ５１、受信メールサーバ５２、基地局５３を介して携帯端末５４で受信される。
【０１２０】
以上のように、不具合情報をメール送信することで、作業員Ｗに対して能動的に不具合を通知できる。そのため、作業員Ｗが早期にリネン設備の不具合を認識でき、早期に対応がとれる。
【０１２１】
本実施形態の診断システム６は布類処理装置６１、６２、６３に不具合信号を送信する機能をさらに有する。
画像処理装置３０の通信制御部３６はランドリー工場内のイントラネット６０にも接続している。イントラネット６０にはリネン設備を構成する種々の布類処理装置６１、６２、６３が接続されている。
【０１２２】
サーバ装置７０は布類処理装置管理部７４を有している。また、記憶部７５には、予め、一または複数の不良種類と、それぞれの不良種類の発生源である布類処理装置６１、６２、６３の識別子とが記憶されている。統計処理部７６がリネン設備に不具合が有ると判断した場合、布類処理装置管理部７４は情報収集部７１が特定した不良種類に対応する識別子を記憶部７５から取得する。そして、布類処理装置管理部７４は識別子に対応する布類処理装置６１、６２、６３に不具合信号を送信する。
【０１２３】
以上のように、不良の発生源である布類処理装置６１、６２、６３に不具合信号を送信するので、不具合信号を受信した布類処理装置６１、６２、６３が自動的にパラメータを補正することで、リネン設備の不具合を自動的に解消できる。
【０１２４】
布類処理装置６１、６２、６３に不具合信号を送信するのに代えて、補正値を送信してもよい。この場合、診断システム４はつぎのように構成される。
記憶部７５には、予め、一または複数の不良種類と、それぞれの不良種類の発生源である布類処理装置６１、６２、６３の識別子と、布類処理装置の補正値とが記憶されている。
【０１２５】
統計処理部７６がリネン設備に不具合が有ると判断した場合、布類処理装置管理部７４は情報収集部７１が特定した不良種類に対応する識別子および補正値を記憶部７５から取得する。そして、布類処理装置管理部７４は識別子に対応する布類処理装置６１、６２、６３に補正値を送信する。補正値を受信した布類処理装置６１、６２、６３の制御装置は、受信した補正値を用いてその装置のパラメータを補正する。
【０１２６】
以上のように、不良の発生源である布類処理装置６１、６２、６３に補正値を送信すれば、布類処理装置６１、６２、６３が受信した補正値に基づきパラメータを補正することで、リネン設備の不具合を自動的に解消できる。
【符号の説明】
【０１２７】
１、２、３  診断装置
２１、２２  カメラ
３０        画像処理装置
３１        不良種類判別部
３２        統計処理部
３３        表示制御部
３４        記憶部
３５        メール送信部
３６        通信制御部
４０        表示装置
４、５、６  診断システム
７０        サーバ装置
７１        情報収集部
７２        ウェブアプリケーション部
７３        メール送信部
７４        布類処理装置管理部
７５        記憶部
７６        統計処理部
８０        クライアントコンピュータ
８１        表示装置
【図１】
2018128415.tif 000003
【図２】
2018128415.tif 000004
【図３】
2018128415.tif 000005
【図４】
2018128415.tif 000006
【図５】
2018128415.tif 000007
【図６】
2018128415.tif 000008
【図７】
2018128415.tif 000009
【図８】
2018128415.tif 000010
【図９】
2018128415.tif 000011
【図１０】
2018128415.tif 000012
【図１１】
2018128415.tif 000013